(57)【要約】【課題】健康器として機能すると共に装飾品として用いられるコンパクトで美感のある水晶玉健康器を提供する。【解決手段】水晶玉２を受け台１０の上面の半球面１２に球動可能に支持し、その下面にポンプ４で噴水を与えると共に下面を光源５により照明する。これにより、水晶玉は光ながら回転を行う。この回転により周辺にやすらぎを与える。【選択図】図１
0003104157.tif 000002
【実用新案登録請求の範囲】
【請求項１】
水晶玉と、この下面近傍に配置され略垂直方向に噴水する噴水管及びそのポンプと、前記噴水管内に配置され前記水晶玉を照光するための光源と、これ等を保持すると共に前記ポンプを沈設し水を蓄溜する受け台とを有し、前記噴水管からの水噴射方向が、前記水晶玉の重心と不一致に形成されることを特徴とする水晶玉健康器。
【考案の詳細な説明】
【技術分野】
【０００１】
本考案は、照光されている水晶玉の回転に伴って生ずる波動やその美感によって観賞者に自然にやすらぎを与えることができる水晶玉健康器に関する。
【背景技術】
【０００２】
水晶玉は、その美感の享受とその不思議な保有機能の利用等を目的として従来より各方面で広く使用されている。特に、天然の水晶を用いた各種の用具や美術品は貴重のものとして主に装飾品として愛用されている。また、その保有する不思議の機能を利用すべく、水晶玉を光らせたり、これを回転させてその機能を発揮させようとする各種の用具が用いられている。その１つの公知技術として「特許文献１」が挙げられる。
【特許文献１】実開平７−４４４４０号（図１）
【考案の開示】
【考案が解決しようとする課題】
【０００３】
実開平７−４４４４０号公報の「球付ルーレット式占い用品」は、回転台の外周に複数枚の絵を円周上に並べた輪を設け、更に、前記回転台上に球を搭載し、電球で球を照らしながら輪及び球を回転して占いを行う占い用品を開示するものである。この公知技術は以下に述べる本考案とは目的，効果において相異するが、その構成要素の一部が類似するものである。但し、球として水晶玉を用いるものではなく、球の回転に回転台を使用する点や照光位置については本考案と全く相異するものである。
【０００４】
本考案は、以上の事情に鑑みて考案されたものであり、特別な動力を必要とせず、水噴射により水晶玉を回転させ、かつ噴射位置近傍に光源を配置し、水晶玉を美しく照光すると共に、水晶玉の回転によって生ずる波動を用いて周辺にやすらぎを与えるようにした水晶玉健康器を提供することを目的とする。
【課題を解決するための手段】
【０００５】
本考案は、以上の目的を達成するために、請求項１の考案は、水晶玉と、この下面近傍に配置され略垂直方向に噴水する噴水管及びそのポンプと、前記噴水管内に配置され前記水晶玉を照光するための光源と、これ等を保持すると共に前記ポンプを沈設し水を蓄溜する受け台とを有し、前記噴水管からの水噴射方向が、前記水晶玉の重心と不一致に形成されることを特徴とする。
【考案の効果】
【０００６】
本考案の請求項１の水晶玉健康器によれば、水晶玉は噴水管からの噴水により回転し、光源の光を受けて光りながら回転する。これにより水晶玉のまわりにいる人間の身体によい波動が発進され、人やその周りにやすらぎを与えることができる。また、光ながら回転する水晶玉から美観が生じ、観察者に美感を提供することができる。このため、装飾体としても用いられる。
【考案を実施するための最良の形態】
【０００７】
以下、本考案の水晶玉健康器の実施の形態を図面を参照して詳述する。図１に示すように本考案の水晶玉健康器１は、大別して水晶玉２と、噴水管３及びこのポンプ４と、光源５と、受け台６とからなる。なお、水晶玉２は天然の水晶が望ましいが、これに限定するものではない。
【０００８】
受け台６は基台１５上に搭載され内部に水７を蓄溜する受け皿状のものからなる。受け台６にはポンプ４が沈設され、ポンプ４はコントローラ８を介して電源部９に連結される。
【０００９】
一方、噴水管３は台１０内に挿着され、台１０とポンプ４との間には支持板１１が介設される。なお、ポンプ４の突出口４ａは噴水管３内に挿入される。また、台１０の上面には半球面１２が凹設され、水晶玉２はこの半球面１２により球動可能に支持される。
【００１０】
光源５としてはハロゲンランプやＬＥＤ等が一例として採用されるが、勿論これに限定するものではない。但し、光源５は噴水管３内に配置され、水晶玉２の下面に近接する位置に配置される。また、光源５はインバータ１３を介して電源部９に連結される。
【００１１】
図２は水晶玉２の重心１４と噴水管３との位置関係を拡大表示したものである。図示のように、噴水管３（ｃ）の軸中心線Ａは水晶玉２の重心１４とδだけずれた位置に形成される。図３、ａ），ｂ）は重心１４と噴水管３の軸中心線とをずらすための実施例を示す。図３（ａ）は水晶玉２を搭載する台１０の半球面１２が台１０内の噴水管３に対して傾斜して凹設されるものである。このため、水晶玉２はこの半球面１２に支持されるとその重心１４が噴水管３の軸線方向からずれることになる。一方、図３（ｂ）は台１０内の噴水管３を台１０の中心に対して偏心した位置に形成したものである。水晶玉２は台１０の半球面１２上に傾斜しないで支持されるが、その重心１４は噴水管３の軸線とその偏心分だけずれることになる。また、図３（ｃ）は台１０と支持板１１との間に部材１６を介入させて台１０を傾斜させたものである。これにより、重心１４と水７の噴射方向にずれを生じさせることができる。なお、重心１４と噴水管３の軸線とをずらす手段としては前記のものに限定するものではない。
【００１２】
次に、本考案の水晶玉健康器１の作用を図１，図４により説明する。電源部９を作動することによりポンプ４はコントローラ８の制御を受けた状態で作動し、受け台６内の水７を吸水しその突出口４ａから噴水管３内に水７を導入させる。これにより水７は噴水管３の出口から噴水し、水晶玉２の下面に当たる。一方、電源部９の作動によりインバータ１３を介して電圧をコントロールされた光源５が照光し、光源５は水晶玉２をその下面側から照らす。
【００１３】
前記したように、水晶玉２の重心１４と噴水管３の水７の噴射方向には若干のずれがあるため、水晶玉２の下面に当たる水は均一のものでなく、不均一の力が作用する。このため、水晶玉２は噴水力を受けて回転を始め、噴水の続く限り回転を行う。即ち、水晶玉２は光源５からの光を受けながら回転することになる。なお、水晶玉２に当たった水７は図４に示すように落下し、受け台６内に溜り、再び循環使用される。
【００１４】
水晶玉２の回転により、水晶玉２の固有している機能が外部に向かって発進される。この発進されるものは波動波であり、この波動波は人体等に対してやすらぎを与えることが実証されている。このため、本考案の水晶玉健康器１を観察している人やその周辺に波動波の影響を受け、自然にやすらぎを受けることができる。また、水晶玉健康器１は前記のように光ながら図る水晶玉２であり、外観美を有するものであり、観賞品としての機能を有し、美感を生ずるものであり、観賞物としても機能する。
【産業上の利用の可能性】
【００１５】
以上のように、本考案の水晶玉健康器１はコンパクトにまとめられたものであり、家庭内は勿論、事務所やロビー等にも適用され、その利用範囲は極めて広い。
【図面の簡単な説明】
【００１６】
【図１】本考案の水晶玉健康器の全体構造を説明するための軸断面図。
【図２】水晶玉と噴水管との位置関係を説明するための模式的部分断面図。
【図３】水晶玉と噴水管との間でずれを生じさせるための実施例を示す部分断面図（ａ），（ｂ），（ｃ）。
【図４】本考案の水晶玉健康器の作用を説明するための模式図。
【符号の説明】
【００１７】
１    水晶玉健康器
２    水晶玉
３    噴水管
４    ポンプ
４ａ  突出口
５    光源
６    受け台
７    水
８    コントローラ
９    電源部
１０  台
１１  支持板
１２  半球面
１３  インバータ
１４  重心
１５  基台
１６  部材
【図１】
0003104157.tif 000003
【図２】
0003104157.tif 000004
【図３】
0003104157.tif 000005
【図４】
0003104157.tif 000006